(57)【要約】【課題】シート体の幅方向端部においてガイドレールの上下方向に連続してシール性を確実に確保することでき、しかも部品点数が少なく製造や組付けの簡単なストッパ機構を備えたスクリーン装置を提供する。【解決手段】ガイドレール１は、シート体３の幅方向端部が挿入される幅狭挿入口４と、幅狭挿入口４の開口幅よりも大きな幅の幅広収納空間５とをもつ一方、シート体３は、幅狭挿入口４の開口幅よりも大きな幅をもちシート体３が下降して両ガイドレール１、１間を閉鎖した状態にあるときに幅広収納空間５内に上下方向に連続して延びて存在するシール機能付きストッパ体１０を幅方向端部に有している。シール機能付きストッパ体１０は、シート体３の長手方向に連続して延びる内部空間を形成する袋状側部１０ｂと、この内部空間内に収納されシート体３の長手方向に連続して延びるボールチェーン１０ａとからなる。【選択図】        図１１
2004251021.tif 000002
【特許請求の範囲】
【請求項１】
建築構造物内の開口部の両側部にそれぞれが配設される一対のガイドレールと、両該ガイドレール間の上方に回動自在に配設される巻き取りドラムと、該巻き取りドラムに巻き取られて両該ガイドレール間を上昇するとともに巻き戻されて下降することにより両該ガイドレール間を開放・閉鎖可能なシート体とを備えたスクリーン装置において、
各上記ガイドレールは、互いに対向して上下方向に連続して延びて設けられ上記シート体の各幅方向端部がそれぞれ挿入される幅狭挿入口と、該幅狭挿入口の奥で上下方向に連続して延びて設けられ該幅狭挿入口の開口幅よりも大きな幅の幅広収納空間とをそれぞれがもつ一方、上記シート体は、該幅狭挿入口の開口幅よりも大きな幅をもち該シート体が下降して両該ガイドレール間を閉鎖した状態にあるときに該幅広収納空間内に上下方向に連続して延びて存在するシール機能付きストッパ体を各該幅方向端部にそれぞれ有し、
上記シール機能付きストッパ体は、上記シート体の幅方向端部の先端に設けられ該シート体の長手方向に連続して延びる内部空間を形成する袋状側部と、該袋状側部の該内部空間内に収納され該シート体の長手方向に連続して延びるボールチェーンとからなることを特徴とするスクリーン装置。
【請求項２】
前記ガイドレールは、被取り付け部材に固定手段により固定されて取り付けられる第１部材と、該固定手段を覆うように該第１部材に結合された第２部材とからなることを特徴とする請求項１記載のスクリーン装置。
【請求項３】
前記ガイドレールは押し出し成形品よりなり、前記幅狭挿入口及び前記幅広収納空間は押し出し成形により所定形状に形成されていることを特徴とする請求項１又は２記載のスクリーン装置。
【請求項４】
前記ガイドレールは板材の曲げ加工品よりなり、前記幅狭挿入口及び前記幅広収納空間は曲げ加工により所定形状に形成されていることを特徴とする請求項１又は２記載のスクリーン装置。
【発明の詳細な説明】
【０００１】
【発明の属する技術分野】
本発明は、建築構造物内の通路開口等に設置され、火災等の必要時に該通路開口を遮蔽することにより、煙や火炎の拡散を防止したり、あるいは風や埃塵等の進入を防止したりするスクリーン装置に関する。
【０００２】
【従来の技術】
従来、建築構造物等の内部で、火災時の煙が拡散するのを防止する手段として、通路開口に設置されて火災等の必要時に該通路開口を遮蔽する遮煙スクリーン装置が知られている。
【０００３】
かかる遮煙スクリーン装置として、例えば、通路開口の両側部にそれぞれが配設される一対のガイドレールと、両該ガイドレール間の上方に回動自在に配設される巻き取りドラムと、該巻き取りドラムに巻き取られて両該ガイドレール間を上昇するとともに巻き戻されて下降することにより両該ガイドレール間を開放・閉鎖可能なシート体とを備えたものが知られている。
【０００４】
この遮煙スクリーン装置によれば、例えば、火災時の火災信号等により巻き取りドラムからシート体を巻き戻す方向に該巻き取りドラムを駆動回転させれば、該巻き取りドラムから巻き戻されて下降するシート体により両ガイドレール間を閉鎖することができる。
【０００５】
ここに、上記遮煙スクリーン装置では、各上記ガイドレールが互いに対向して上下方向に連続して延びる挿入口をそれぞれ有しており、上記シート体は各該ガイドレールの各該挿入口に各幅方向端部がそれぞれ挿入された状態で昇降可能とされている。このため、この遮煙スクリーン装置では、シート体が両ガイドレール間を下降して両ガイドレール間を閉鎖した火災時に、熱風等によりシート体が押圧されると、その圧力によりシート体の両幅方向端部が両ガイドレールの挿入口の一方側の開口縁部に密着し、これによりシート体の両幅方向端部と両ガイドレールとの間から煙等が漏れ難くなっている。
【０００６】
しかし、シート体に作用する押圧力が大きくなると、シート体の幅方向端部がガイドレールの挿入口から抜け出てしまうおそれがある。このようにシート体の幅方向端部がガイドレールの挿入口から抜き出た状態では、遮煙機能を有効に果たし得ない。
【０００７】
このような問題は、上記遮煙スクリーン装置と同様の構成を有する、通路開口を閉鎖して風や塵埃等の進入を防止するためのスクリーン装置においても、同様に発生しうる。
【０００８】
そこで、シート体に作用する押圧力が大きくなってもシート体の幅方向端部がガイドレールの挿入口から抜き出ることを防止すべく、両ガイドレール間を閉鎖した状態にあるシート体の幅方向端部がガイドレールの挿入口から抜け出ることを防止するストッパ機構を備えたスクリーン装置が知られている（例えば、特許文献１参照）。
【０００９】
このスクリーン装置に係るストッパ機構は、シート体の幅方向端部が挿入される絞り部をガイドレール内に形成し、この絞り部の隙間よりも大きなストッパ体をシート体の幅方向端部の先端に取り付けることにより構成されている。詳しくは、ガイドレールの対向内壁面に、凸条部が上下方向に連続して延びる一対の断面略くの字状帯板を該凸条部が対向するように取り付けることにより、両帯板の凸条部間に絞り部を形成する。そして、絞り部よりも奥に挿入されるシート体の幅方向端部に、該幅方向端部から先端側の一部が水平方向にはみ出す複数のガイド片をシート体の長手方向に沿って所定間隔で配設、固定するとともに、各ガイド片の先端に２個の袋状ナットを表裏からそれぞれ共締めすることにより、絞り部の開口幅よりも大きな複数のストッパ体を構成する。
【００１０】
したがって、このストッパ機構によれば、シート体が両ガイドレール間を下降して閉鎖した状態で、シート体の幅方向端部に取り付けられた各ストッパ体が絞り部にそれぞれ係止するすることにより、シート体の幅方向端部がガイドレールから抜け出ることを確実に防止することができる。
【００１１】
【特許文献１】
特開平１０−３２８３２１号公報（第２−３頁、第１図及び第２図）
【００１２】
【発明が解決しようとする課題】
しかしながら、上記従来のスクリーン装置のストッパ機構は、シート体の長手方向に沿って所定間隔で配設された複数のストッパ体がガイドレール内の絞り部に係止するものである。すなわち、このストッパ機構では、各ストッパ体自身と絞り部との当接部位ではそれぞれシール性を確保することができても、ストッパ体と絞り部との当接によりガイドレールの全体にわたって上下方向に連続してシール性を確保することができる構成となっていない。
【００１３】
このため、シート体に作用する押圧力の変動等によりシート体の幅方向端部と絞り部との間に隙間が生じた場合には、煙等がその隙間から漏れ出るおそれがあり、シート体の幅方向端部におけるシール性をより確実に確保することが困難である。
【００１４】
また、ガイドレールの内壁面に一対の帯板を固定するとともに、先端に２個の袋状ナットを表裏から共締めした複数のガイド片をシート体の幅方向端部に取り付けることにより、ストッパ機構を構成していることから、部品点数が多く、その製造や組付けが面倒である。
【００１５】
本発明は上記実情に鑑みてなされたものであり、シート体の幅方向端部においてガイドレールの上下方向に連続してシール性を確実に確保することでき、しかも部品点数が少なく製造や組付けの簡単なストッパ機構を備えたスクリーン装置を提供することを解決すべき技術課題とするものである。
【００１６】
【課題を解決するための手段】
上記課題を解決する本発明のスクリーン装置は、建築構造物内の開口部の両側部にそれぞれが配設される一対のガイドレールと、両該ガイドレール間の上方に回動自在に配設される巻き取りドラムと、該巻き取りドラムに巻き取られて両該ガイドレール間を上昇するとともに巻き戻されて下降することにより両該ガイドレール間を開放・閉鎖可能なシート体とを備えたスクリーン装置において、各上記ガイドレールは、互いに対向して上下方向に連続して延びて設けられ上記シート体の各幅方向端部がそれぞれ挿入される幅狭挿入口と、該幅狭挿入口の奥で上下方向に連続して延びて設けられ該幅狭挿入口の開口幅よりも大きな幅の幅広収納空間とをそれぞれがもつ一方、上記シート体は、該幅狭挿入口の開口幅よりも大きな幅をもち該シート体が下降して両該ガイドレール間を閉鎖した状態にあるときに該幅広収納空間内に上下方向に連続して延びて存在するシール機能付きストッパ体を各該幅方向端部にそれぞれ有し、上記シール機能付きストッパ体は、上記シート体の幅方向端部の先端に設けられ該シート体の長手方向に連続して延びる内部空間を形成する袋状側部と、該袋状側部の該内部空間内に収納され該シート体の長手方向に連続して延びるボールチェーンとからなることを特徴とするものである。
【００１７】
このスクリーン装置では、シート体が両ガイドレール間を昇降するとき又は閉鎖しているときに、シート体の幅方向端部に設けられたシール機能付きストッパ体（袋状側部の外面）がガイドレール（幅広収納空間の内壁面や幅狭挿入口の開口端縁等）に当接して係止されるにより、シート体の幅方向端部がガイドレールの幅狭挿入口から抜け出ることを確実に防止することができる。したがって、両ガイドレール間におけるシート体の昇降を確実かつスムースに行うことが可能となる。
【００１８】
そして、シート体が両ガイドレール間を閉鎖しているときは、ガイドレールの幅広収納空間内で上下方向に連続して延びて存在するシール機能付きシート体（袋状側部の外面）とガイドレール（幅広収納空間の内壁面や幅狭挿入口の開口端縁等）との当接により、シート体の幅方向端部において、ガイドレール内で上下方向に連続してシール性を確実に確保することができる。したがって、両ガイドレール間を下降して閉鎖した状態にあるシート体の両側部を上下方向に連続して確実にシールして気密性を高めることができ、煙、風や塵埃等を確実に遮断することが可能となる。
【００１９】
また、シール機能付きストッパ体を構成するボールチェーンのボール部における剛性により、シール機能付きストッパ体（袋状側部の外面）とガイドレール（幅広収納空間の内壁面や幅狭挿入口の開口端縁等）との係止力が高まるので、シート体の幅方向端部がガイドレールの幅狭挿入口から抜け出ることをより確実に防止することができるとともに、シート体の幅方向端部におけるシール性をより確実に確保することができる。
【００２０】
しかも、ボールチェーン自体は全体的に見れば可撓性があり、ロール状に巻き取ることができるため、シート体の幅方向端部の先端に設けられた袋状側部の内部空間内にボールチェーンを収納してなるシール機能付きストッパ体を、シート体と共に巻き取りドラムに巻き取ることが可能となる。そして、シート体の下降時には、ボールチェーンが自重等により直線状に伸びようとするため、シート体の両幅方向端部の姿勢が安定し、シート体をより円滑に下降させることが可能となる。
【００２１】
さらに、シール機能付きストッパ体は、シート体の幅方向端部に設けられた袋状側部内にボールチェーンを収納してなるため、その構成が簡素であり、部品点数も少ないことから、その製造や組付けが簡単となる。
【００２２】
好適な態様において、前記ガイドレールは、被取り付け部材に固定手段により固定されて取り付けられる第１部材と、該固定手段を覆うように該第１部材に結合された第２部材とからなる。
【００２３】
この態様によれば、被取り付け部材（建築構造物内の開口部の両側にある室内側壁等）に対してボルトやビス等の固定手段を用いてガイドレールを固定する際に、被取り付け部材に第１部材を固定するための固定手段を第２部材で覆って隠すことができる。このため、固定手段を用いてガイドレールを被取り付け部材に確実に固定しつつ、ガイドレールの意匠性を向上させてその外観を良好なものとすることが可能となる。
【００２４】
好適な態様において、前記ガイドレールは押し出し成形品よりなり、前記幅狭挿入口及び前記幅広収納空間は押し出し成形により所定形状に形成されている。
【００２５】
この態様によれば、ガイドレール内に幅狭挿入口や幅広収納空間を形成するための部材を別途製造してガイドレールに固定等させる必要がないことから、製造工程の簡素化を図ることができる。
【００２６】
好適な態様において、前記ガイドレールは板材の曲げ加工品よりなり、前記幅狭挿入口及び前記幅広収納空間は曲げ加工により所定形状に形成されている。
【００２７】
この態様によれば、ガイドレール内に幅狭挿入口や幅広収納空間を形成するための部材を別途製造してガイドレールに固定等させる必要がないことから、製造工程の簡素化を図ることができる。
【００２８】
本発明のスクリーン装置は、建築構造物内の所定の位置で、火災時の煙や火炎が拡散するのを防止したり、あるいは風や埃塵等の進入を防止したりするために、建築構造物内の開口部に設置される。この建築構造物内の開口部としては、特に限定されず、例えば、建物内の廊下、出入り口やエレベータの扉の前等の通路開口の他、マンション管理人室のカウンター窓等の窓の開口を挙げることができる。
【００２９】
上記建築構造物内の開口部の両側部に設置される各ガイドレールの幅挟挿入口は、シート体が摺接又は非接触状態で通過しうるようにシート体の厚さよりも少なくとも若干大きな開口幅を有するものとすることができ、例えば一定の開口幅で上下方向に連続して延びる一対の対向壁部で形成することができる。ただし、シート体の昇降時における摺動抵抗を無くして、シート体をより円滑に昇降させるべく、ガイドレールの幅狭挿入口の開口幅は、シート体が非接触状態で通過しうるようにシート体の厚さよりも大きくすることが好ましい。
【００３０】
また、各ガイドレールの幅広収納空間は、少なくとも幅挟挿入口の開口幅よりも大きな幅をもつとともに、シール機能付きストッパ体を収納可能でかつ該シール機能付きストッパ体が上下方向に摺動又は非接触状態で遊動可能な空間とすることができる。ただし、シート体の昇降時における摺動抵抗を無くして、シート体をより円滑に昇降させるべく、ガイドレールの幅広収納空間は、シール機能付きストッパ体が非接触状態で遊動しうる大きさ及び形状とすることが好ましい。
また、幅広収納空間は、シール機能付きストッパ体との当接（好ましくは面接触）によりシール機能を果たしうる断面形状（内面形状）が上下方向に連続して延びたものとすることが好ましい。
【００３１】
ガイドレールの材質は特に限定されず、金属又は合成樹脂等とすることができるが、火災時の煙や火炎が拡散するのを防止するための遮煙・遮炎スクリーン装置に本発明のスクリーン装置を適用する場合は、耐熱性の高い材料、例えば鉄又は鉄合金やアルミニウム又はアルミニウム合金とすることが好ましい。特に、火災時の煙が拡散するのを防止するための遮煙スクリーン装置に本発明を適用する場合はアルミニウム又はアルミニウム合金を採用することが好ましく、また、火災時の煙のみならず火炎が拡散するのを防止するための遮炎スクリーン装置に本発明を適用する場合はアルミニウム等よりも耐熱性の高い鉄又は鉄合金を採用することが好ましい。
【００３２】
なお、ガイドレールを押し出し成形品により構成する場合は、アルミニウム又はアルミニウム合金を好適に採用することができ、また、ガイドレールを板材の曲げ加工品により構成する場合は、鉄又は鉄合金を好適に採用することができる。板材の曲げ加工品は、曲げ型によるロールホーミング加工やプレス加工等を利用して板材を所定形に曲げ加工することにより得ることができる。
【００３３】
両上記ガイドレール間の上方に回動自在に配設される巻き取りドラムとしては、シート体を巻き戻し自在に巻き取るものであれば特に限定されない。この巻き取りドラムは、例えば、正逆回転可能なモータ等の駆動手段を備えた駆動ユニットにより、シート体を巻き取る方向及び巻き戻す方向のいずれにも回転駆動可能なものとすることができる。勿論、正回転のみ可能なモータ等の駆動手段により、シート体を巻き取る（シート体を上昇させる）ときのみに、巻き取りドラムを回転駆動させ、シート体の下降はシート体の自重により行ってもよい。また、手動又は無線等により電気信号若しくは煙感知器信号等の非常用電気信号により解除可能なロック機構を駆動ユニットに内蔵させるとともに、シート体の下端部に重りを取り付けることもできる。こうすれば、停電等によりモータ等の駆動手段が作動しない場合であっても、手動や非常用電気信号等によりロック機構を解除すれば、巻き取りドラムに巻き取られたシート体を、自重により巻き取りドラムから巻き戻すとともにガイドレール間を下降させて閉鎖することができる。なお、上記駆動ユニットとしては、正回転方向（シート体を巻き取って上昇させる方向）に付勢するばね手段や手動によりシート体を巻き取る構成としてもよい。
【００３４】
上記巻き取りドラムに巻き取られて両ガイドレール間を上昇するとともに巻き戻されて下降することにより両該ガイドレール間を開放・閉鎖可能なシート体としては、その材質は特に限定されるものではないが、火災時の煙や火炎が拡散するのを防止する遮煙・遮炎用スクリーン装置に本発明のスクリーン装置を適用する場合は、ガラス繊維の織布やシリカクロス等の不燃又は耐火材料とすることが好ましい。
【００３５】
【実施の形態】
以下、本発明の実施の形態について、図面を参照しつつ具体的に説明する。
【００３６】
（第１実施形態）
図１〜図１２に示す本実施形態は、エレベータ扉の前の通路開口に設置する遮炎用及び遮煙用のスクリーン装置であって、特に、火災時の煙のみならず火炎が拡散するのを防止するための遮炎スクリーン装置に本発明を適用したものである。
【００３７】
なお、図１はこの遮炎スクリーン装置の全体構成を示し、シート体が両ガイドレール間を開放した状態にある遮炎スクリーン装置を縦に切断した断面の一部断面端面図であり、図２は図１のＡ−Ａ線から上方を見た底面図であり、図３は図８のＢ−Ｂ線から下方を見た平面図であり、図４は図１のＣ−Ｃ線から下方を見た平面図であり、図５は図１のＤ−Ｄ線から下方を見た平面図であり、図６は目板部材の側面図であり、図７は目板部材の斜視図であり、図８はシート体が両ガイドレール間を閉鎖した状態にある遮炎スクリーン装置を縦に切断した断面の一部断面端面図であり、図９はシート体が両ガイドレール間を閉鎖した状態にある遮炎スクリーン装置の正面図であり、図１０はシート体が両ガイドレール間を閉鎖した状態にある遮炎スクリーン装置の要部断面図であり、図１１はガイドレールと被取り付け部材との取り付け構造等を示す要部断面図であり、図１２はガイドレールの斜視図である。
【００３８】
この遮炎スクリーン装置は、エレベータ扉前の通路開口の両側部にそれぞれが配設される一対のガイドレール１、１と、両ガイドレール１、１間の上方に回動自在に配設される巻き取りドラム２と、この巻き取りドラム２に巻き取られて（巻回されて）両ガイドレール１、１間を上昇するとともに巻き戻されて下降することにより、両ガイドレール１、１間を昇降可能に設けられて両ガイドレール１、１間を開放・閉鎖可能なシート体３とを主に備えている。
【００３９】
各上記ガイドレール１、１は、互いに対向して上下方向に連続して延びる幅狭挿入口４、４と、この幅狭挿入口４、４の奥で上下方向に連続して延びかつ幅狭挿入口４、４の開口幅よりも大きな幅の幅広収納空間５、５とをそれぞれが有している。なお、幅挟挿入口４及び幅広収納空間５は、いずれもガイドレール１の全体、すなわちガイドレール１の上端から下端まで連続して延びている。
【００４０】
上記幅挟挿入口４は、シート体３が非接触状態で容易に通過しうるようにシート体３の厚さよりも大きな開口幅を有するもので、この一定の開口幅で上下方向に連続して延びる一対の対向壁部６、６（図２参照）間に形成されている。
【００４１】
上記幅広収納空間５は、幅挟挿入口４の開口幅よりも大きな幅をもち、後述するシール機能付きストッパ体を収納可能でかつ該シール機能付きストッパ体１０が上下方向に非接触状態で遊動可能な断面略五角形状の空間とされている。なお、幅広収納空間５の幅狭挿入口４側には、幅狭挿入口４から幅広収納空間５の奥側に向かうに連れて幅広収納空間５の幅が徐々に広くなるように、対向壁部６、６から連続して延びる一対のテーパ壁部７、７（図２参照）が設けられている。
【００４２】
上記ガイドレール１は、図１１及び図１２に示されるように、上記通路開口の両側の室内側壁１１の出っ張り部（被取り付け部材）１１ｂにビス（固定手段）４１により固定されて取り付けられた座板（第１部材）４２と、座板４２に対してボルト４３で固定されて結合されたガイドレール本体（第２部材）４４とから構成されている。
【００４３】
座板４２は、曲げ型を用いたロールホーミング加工等を利用して鉄板を折り曲げ加工することにより一体に形成されたもので、出っ張り部１１ｂの出っ張り端面に当接した状態でビス４１で固定された底板部４２ａと、この底板部４２ａの一端側（図１１の右端側で、ガイドレール１の内方側）から連続的に前方（図１１の下方で、エレベータロビー側）に屈曲された前方屈曲部４２ｂと、底板部４２ａの他端（図１１の左端側で、ガイドレール１の外方側）から連続的に後方（図１１の上方で、エレベータカゴ側）に屈曲された後方屈曲部４２ｃとを有している。なお、座板４２の底板部４２ａには、ビス４１を挿通させるための複数の挿通孔（図示せず）がガイドレール１の上下方向（長手方向）に沿って間隔を隔てて貫設されている。また、座板４２の後方屈曲部４２ｃには、ボルト４３を貫通させるための複数の貫通孔がガイドレール１の上下方向に沿って間隔を隔てて貫設されている。
【００４４】
ガイドレール本体４４は、曲げ型を用いたロールホーミング加工等を利用して鉄板を折り曲げ加工することにより一体に形成された第１折り曲げ加工品４５と、同じく曲げ型を用いたロールホーミング加工等を利用して鉄板を折り曲げ加工することにより一体に形成された第２折り曲げ加工品４６とからなる。これら第１折り曲げ加工品４５及び第２折り曲げ加工品４６は、それぞれ所定の形状に折り曲げ加工される際に、第１折り曲げ加工品４５の一端に設けられた折り返し挟持部４５ａで第２折り曲げ加工品４６の一端に設けられた折り曲げ被挟持部４６ａを挟持することにより両者が一体的に結合されている。
【００４５】
なお、第１折り曲げ加工品４５においては、折り返し挟持部４５ａと、幅広収納空間５を区画する一方の底面部４５ｂと、幅広収納空間５を区画する一方の側面部４５ｃと、一方の前記テーパ壁部７と、一方の前記対向壁部６と、ガイドレール１の内方側面のエレベータロビー側の一部を構成する内方側面部４５ｄと、ガイドレール１の主な意匠面たる正面を構成する正面部４５ｅと、ガイドレール１の主な意匠面たる外方側面を構成する外方側面部４５ｆとが一端から他端に向けて順に連続的に設けられている。一方、第２折り曲げ加工品４６においては、折り曲げ被挟持部４６ａと、幅広収納空間５を区画する他方の底面部４６ｂと、幅広収納空間５を区画する他方の側面部４６ｃと、他方の前記テーパ壁部７と、他方の前記対向壁部６と、ガイドレール１の内方側面のエレベータカゴ側の一部を構成する内方側面部４６ｄと、略Ｌ字状折り曲げ部４６ｅとが一端から他端に向けて連続的に設けられている。
【００４６】
そして、第１折り曲げ加工品４５の外方側面部４５ｆが座板４２の後方折り曲げ部４２ｃの外側に配設されるとともに、第２折り曲げ加工品４６の内方側面部４６ｄが座板４２の前方折り曲げ部４２ｂの外側に配設されかつ第２折り曲げ加工品４６の略Ｌ字状折り曲げ部４６ｅが座板４２の底板部４２ａの一部を覆った状態で、ボルト４３により座板４２とガイドレール本体４４とが一体的に結合されている。このため、この結合状態では、座板４２とこの座板４２を室内側壁１１の出っ張り部１１ｂに固定するためのビス４１とは、ガイドレール本体４４により完全に覆われて外部から全く見えないようになっている。したがって、出っ張り部１１ｂに対してビス４１をガイドレール１を確実に固定しつつ、ガイドレール１の意匠性を向上させてその外観を良好なものとすることができる。また、ガイドレール１の主な意匠面たる正面と外方側面とは、ガイドレール本体４４の第１折り曲げ加工品４５の正面部４５ｅとこれに連続してかつ一体に設けられた外方側面部４５ｆとによりそれぞれ構成されているため、このガイドレール１は外から分割線が見えず、外観上あたかも一体品のように見え、意匠性に優れている。
【００４７】
上記シート体３は、各上記ガイドレール１、１の各上記幅狭挿入口４、４に各幅方向端部（側端部）がそれぞれ挿入された状態で昇降可能に設けられている。
このシート体３は、不燃又は耐火材料としてのシリカクロスよりなる。そして、シート体３の先端部（下端部）には、シート体３が自重により両ガイドレール１、１間を下降しうるように重り８がボルト９により取り付けられている。
【００４８】
また、シート体３の各幅方向端部には、シート体３が下降して両ガイドレール１、１間を閉鎖した状態にあるときに上記幅広収納空間５内にガイドレール１、１の上端から下端まで全長にわたって上下方向に連続して延びて存在するシール機能付きストッパ体１０、１０がそれぞれ設けられている。
【００４９】
このシール機能付きストッパ体１０は、シート体３の幅方向端部の先端に設けられシート体３の長手方向全長（基端から先端までの全体）にわたって連続して延びる内部空間を形成する袋状側部１０ｂと、この袋状側部１０ｂの該内部空間内に収納されシート体３の長手方向全長にわたって連続して延びるボールチェーン１０ａとから構成されている。なお、袋状側部１０ｂは、シート体３の幅方向端部（側端部）の先端（側端）を袋状に折り返すとともに、この折り返し先端部を二重に重ね折りした状態で縫い付けることにより形成されている。
【００５０】
そして、シール機能付きストッパ体１０の最大幅（シート体３の厚さ方向における最大幅）及びボールチェーン１０ａのボール部における外径は、両テーパ壁部７、７間の最大幅（幅広収納空間５の最大幅）よりも小さく、かつ、両テーパ壁部７、７間の最小幅（幅狭挿入口４の開口幅）よりも大きく設定されており、シール機能付きストッパ体１０が両テーパ壁部７、７の略中間部分に当接、着座して係止されることにより、シート体３の幅方向端部がガイドレール１の幅狭挿入口４から抜け出ることを防止するとともに、シート体３の両側端部におけるシール性を確保することができるようになっている。
【００５１】
なお、シート体３の長さは、巻き取りドラム２から巻き戻されて両ガイドレール１、１間を下降したシート体３の下端部が床面に到達する長さよりも所定量長めに設定されている。
【００５２】
また、本実施形態においては、上述のとおり上記シール機能付きストッパ体１０と上記幅広収納空間５との間には一定のクリアランスがある。このため、図３に示すように、シート体３の一面側（エレベータロビー側）と他面側（エレベータカゴ側）との間で圧力差のない無圧力時においては、シート体３が両ガイドレール１、１間を下降するとき又は閉鎖した状態にあるときに、シール機能付きストッパ体１０は幅広収納空間５の内壁面にそれぞれ当接しておらず、風圧等によりシート体３が一方側又は他方側へ移動してはじめてそれぞれ当接する態様となっている。
【００５３】
シート体３の基端部は、該シート体３を両ガイドレール１、１間で昇降させるための巻き取りドラム２に固定されている。この巻き取りドラム２は、図１及び図９に示されるように、上記通路開口の上方の室内側壁１１に取り付けられている。すなわち、室内側壁１１に台板１２がボルト１３により張り付け固定され、この台板１２の両側端部にボルト１４により突設された一対のドラム用支持板１５、１５に巻き取りドラム２が回動可能に軸支されている。
【００５４】
上記巻き取りドラム２は、正回転可能なモータ（図示せず）を備えた駆動ユニット（図示せず）により、シート体３を巻き取る方向に回転駆動可能とされている。そして、この駆動ユニットは、シート体３を巻き取った状態で保持するロック機構（図示せず）を備えており、このロック機構は手動又は無線等の電気信号により解除可能となされている。また、駆動ユニットは、自重により落下しようとするシート体３の落下荷重に対抗してその落下速度を減速せしめてシート体３の急激な落下を防止しうる落下防止機構１６を備えている。
【００５５】
さらに、巻き取りドラム２の軸２ａの両端側には、巻き取りドラム２に巻き取られるシート体３が蛇行するのを規制して、シート体３がきちんと整列した状態で巻き取りドラム２に巻き取られるようにするための一対の規制板１７、１７が固定されている。
【００５６】
加えて、本実施形態の遮炎スクリーン装置は、シート体３の幅方向に連続して延びて設けられ、両上記ガイドレール１、１間を閉鎖した状態にある上記シート体３の上方部を該シート体３の幅方向に連続してシール可能な上部押し付けシール機構２０をさらに備えている。
【００５７】
この上部押し付けシール機構２０は、後述する受け止め部２４がエレベータロビー側（図１参照）を向くように両ガイドレール１、１の上端部間に架け渡され、シート体３の幅方向に連続して延びて設けられた目板部材２１と、両ガイドレール１、１の上端部間に架け渡されて上記受け止め部２４に対してエレベータロビー側の前方に対向配設され、シート体３の幅方向に連続して延びて設けられた押し付けローラ２２とを備えている。
【００５８】
目板部材２１は、曲げ型を用いたロールホーミング加工等を利用して鉄板を折り曲げ加工等することにより製造されたもので、図１０に示されるように、上記通路開口の上方の室内側壁１１の段部１１ａに対して密着状態で取り付け可能な取り付け部２３と、シート体３を密着状態で受け止め可能な受け止め部２４とを有している。
【００５９】
目板部材２１の取り付け部２３は、目板部材２１の一端（図１０の下端。以下、同様）側に断面略コの字状部材を溶接等で一体的に固着することにより設けられている。
【００６０】
一方、目板部材２１の受け止め部２４は、目板部材２１の他端（図１０の上端。以下、同様）側を略Ｍ字状に折り曲げ加工することにより一体に設けられており、シート体３と当接可能な上下一対の凸状部２５、２５と、両凸状部２５、２５間に設けられ、押し付けローラ２２で押し付けられたシート体３との間に隙間Ｓ（図１０参照）を形成しうる断面略Ｖ字状の凹状部２６とを有している。この凹状部２６は、３０ｍｍの一定幅（図１０の上下方向の幅）で水平方向に延びており、最深部の深さが３ｍｍとされている。また、各凸状部２５の先端は鋭角（８０度程度）の角部とされている。なお、凸条部２５及び凹状部２６の形状や寸法は目板部材２１等の大きさ等に応じて適宜設定可能であり、例えば、凹状部２６の幅は１５〜４０ｍｍ程度、凹状部２６の最深部の深さは２〜５ｍｍ程度、凸状部２５の先端角部の角度は６８〜８２度程度とすることができる。
【００６１】
また、目板部材２１の一端側には、該一端側を断面略コの字状に折り曲げ加工することによりカバー部２７が一体に設けられている。そして、受け止め部２４がエレベータロビー側を向き、取り付け部２３の先端が上記段部１１ａの側面に密着するとともに、カバー部２７の先端が上記段部１１ａの下面に密着した状態で、被取り付け部材としての室内側壁１１の段部１１ａに取り付け部２３がボルト２８で取り付けられている。
【００６２】
押し付けローラ２２は、各ガイドレール１の上端部にそれぞれボルト締めされた一対のローラ用支持板２９に回動可能に軸支されている。なお、このローラ用支持板２９は、図５及び図９に示されるように、エレベータロビー側のガイドレール１の前面にボルト３０により固定されている。
【００６３】
また、ガイドレール１の前面とローラ用支持板２９との間には数枚のスペーサ板（図示せず）が介装されている。このスペーサ板は１〜３ｍｍ程度の厚さのもので、ガイドレール１前面とローラ用支持板２９との間に介装させる枚数を変えることにより押し付けローラ２２の軸心と目板部材２１の受け止め部２４との距離を変化させて、シート体３を受け止め部２４に押し付ける押し付け荷重を調製するためのものである。
【００６４】
ここに、本実施形態では、押し付けローラ２２で押し付けられたシート体３が目板部材２１の受け止め部２４の両凸状部２５に密着状態で確実に当接するとともに該シート体３と受け止め部２４の凹状部２６との間に最大で数ｍｍ程度の隙間Ｓが形成され、しかもこの状態を維持しつつ、重り８を備えたシート体３の自重により、該シート体３との接触による押し付けローラの回転に伴って該シート体３が両ガイドレール１、１間を確実に下降しうるように、押し付けローラ２２の押し付け荷重が調整されている。
【００６５】
また、本実施形態のスクリーン装置では、押し付けローラ２２の両端部の上方に一対の案内ローラ３１が配設されている。各案内ローラ３１は、各上記ローラ用支持板２９に一体的に設けられた支持片３２に回動可能に軸支されている。なお、この案内ローラ３１は、巻き取りドラム２から巻き戻されたシート体３を、目板部材２１の受け止め部２４と押し付けローラ２２との間に案内するためのものである。
【００６６】
上記構成を有する本実施形態の遮炎スクリーン装置は、以下のようにしてエレベータ扉前に設置することができる。まず、エレベータ扉前の通路開口の両側部の出っ張り部１１ｂにガイドレール１、１を配設する。すなわち、出っ張り部１１ｂにガイドレール１の座板４２をビス４１で固定した後、この座板４２に対して、第１折り曲げ加工品４５及び第２折り曲げ加工品４６よりなるガイドレール本体４４をボルト４３で結合する。そして、通路開口の上方の室内側壁１１に巻き取りドラム２を取り付ける。また、この室内側壁１１の段部１１ａに目板部材２１を取り付ける。なお、ガイドレール１、巻き取りドラム２及び目板部材２１の取り付け順序は特に制限されない。そして、巻き取りドラム２からシート体３を巻き戻し、各シール機能付きストッパ体１０を各ガイドレール１の幅広収納空間５内に通しつつシート体３を下降させた後、シート体３の先端に重り８をボルト締めする。その後、押し付けローラ２２及び案内ローラ３１をガイドレール１に対して取り付けた後、巻き取りドラム２、目板部材２１、押し付けローラ２２及び案内ローラ３１を収容するカバー部材３３を上記室内側壁１１にボルト締めする。なお、カバー部材３３を取り付けた後に、重り８をシート体３に取り付けることも勿論可能である。最後に、上記駆動ユニットを作動させて巻き取りドラム２にシート体３を巻き取って上昇させ、両ガイドレール１、１間を開放した状態として、遮炎スクリーン装置の設置を完了する（図１の状態）。なお、カバー部材３３の下面のエレベータカゴ側の端面３３ａと室内側壁１１の上記段部１１ａとの間にはシート体３の重り８が通過しうる開口３４が形成されており、シート体３が巻き取りドラム２に巻き取られて両ガイドレール１、１間を開放した状態にあるときはシート体３の重り８はこのカバー部材３３内に収容されている。
【００６７】
こうして設置された本実施形態の遮炎スクリーン装置では、火災等の発生あるいは点検等の必要時に、駆動ユニットのロック機構が手動又は無線等の電気信号により解除されると、重り８をもつシート体３の自重により、巻き取りドラム２からシート体３が巻き戻されつつ両ガイドレール１、１間を下降する。このとき、駆動ユニットの落下防止機構により、シート体３の急激な落下は防止される。
また、シール機能付きストッパ体１０と幅広収納空間５との間には一定のクリアランスがあり、シール機能付きストッパ体１０が幅広収納空間５の内壁面に当接していないため、摺動抵抗が生じず、シート体３の下降がスムースに行われる。
そして、シート体３の重り８が床面に着床して、シート体３により両ガイドレール１、１間が閉鎖される（図８〜図１０の状態）。
【００６８】
そして、この遮炎スクリーン装置における上部押し付けシール機構２０では、両ガイドレール１、１の上端部間に架け渡された目板部材２１の取り付け部２３が被取り付け部材としての室内側壁１１の段部１１ａに取り付けられるとともに、この目板部材２１の受け止め部２４に対してシート体３が押し付けローラ２２により所定の押し付け荷重で押し付けられることにより、目板部材２１の取り付け部２３と段部１１ａとの間及び目板部材２１の受け止め部２４とシート体３との間が密着状態とされる。このため、目板部材２１と段部１１ａとの間及び目板部材２１とシート体３との間において、所定のシール性を確保することができる。しかも、本実施形態では、押し付けローラ２２で押し付けられたシート体３を、目板部材２１の受け止め部２４に設けられた鋭角な角部よりなる上下一対の凸状部２５で受け止めることができるので、シート体３と目板部材２１の受け止め部２４との間できわめて高いシール性を確保することができる。そして、この目板部材２１及び押し付けローラ２２よりなる上部押し付けシール機構２０はシート体３の幅方向に連続して延びて設けられている。したがって、この上部押し付けシール機構２０によれば、両ガイドレール１、１間を下降して閉鎖した状態にあるシート体３の上方部を幅方向に連続して確実にシールして気密性を高めることができ、煙、風や塵埃等を確実に遮断することが可能となる。
【００６９】
また、この上部押し付けシール機構２０では、シート体３の自重により、シート体３との接触による押し付けローラ２２の回転に伴ってシート体３が下降することができるように、押し付けローラ２２の押し付け荷重が予め所定の大きさに設定されているので、シート体３の下降時にはシート体３が確実に下降する。このため、スクリーン装置の設置時に巻き取りドラム２の設置位置が正しい位置から例えば上方にずれたとしても、シート体３の下降時には両ガイドレール１、１間を下降するシート体３の下端部が床面に確実に到達して着座しうるため、両ガイドレール１、１間を閉鎖した状態にあるシート体３の下端部と床面との間において所定のシール性を確保することができる。したがって、スクリーン装置の設置後に巻き取りドラム２の設置位置を微調整するという、面倒な調整作業を省略することが可能となる。
【００７０】
さらに、シート体３が両ガイドレール１、１間を閉鎖しているときに、例えばエレベータロビー側とエレベータカゴ側との間の圧力差により、シート体３がエレベータロビー側からエレベータカゴ側へたわみつつ移動した場合、シート体３の幅方向端部はシール機能付きストッパ体１０と共に内側へ引っ張られつつエレベータカゴ側へ移動する。この移動により、シール機能付きストッパ体１０（袋状側部１０ｂの外面）がガイドレール１の幅広収納空間５のテーパ壁部（エレベータカゴ側のテーパ壁部）７に当接して密着状態で係止される。このため、シート体３の幅方向端部がガイドレール１の幅挟挿入口４から抜け出ることを確実に防止することができるとともに、高いシール性を確保して気密性を向上させることができる。また、ガイドレール１の対向壁部（エレベータカゴ側の対向壁部）６とシート体３の幅方向端部とが面接触により当接するため、この部分でもシール性を確保することができる。しかも、シート体３が両ガイドレール１、１間を閉鎖した状態にあるとき、シール機能付きストッパ体１０はガイドレール１の上端から下端までガイドレール１の全体にわたって上下方向に連続して延びて存在するため、シート体３の両側部にあるガイドレール１、１内の全体で気密性を確実に向上させることができる。
【００７１】
そして、本実施形態のスクリーン装置では、シール機能付きストッパ体１０を構成するボールチェーン１０ａのボール部における剛性により、シール機能付きストッパ体（袋状側部１０ｂの外面）とガイドレール（幅広収納空間の内壁面や幅狭挿入口の開口端縁等）との係止力が高まるので、シート体３の幅方向端部がガイドレール１の幅狭挿入口４から抜け出ることをより確実に防止することができるとともに、シート体３の幅方向端部におけるシール性をより確実に確保することができる。
【００７２】
また、上述のとおり、シート体３が両ガイドレール１、１間を閉鎖しているとき、シート体３の両側部のみならず、シート体の上方部でも上部押し付けシール機構２０により幅方向に連続してシールして気密性を高めることができる。しかもこの上部押し付けシール機構２０の目板部材２１は、両ガイドレール１、１の上端部間に架け渡されてシート体３の幅方向に連続して延びて設けられているため、目板部材２１の両端部とガイドレール１の上端部間にも隙間がなく、この部分から煙等が流通することもない。
【００７３】
したがって、本実施形態によれば、両ガイドレール１、１間を閉鎖したシート体３の両側部及び上方部の３辺を確実にシールすることができる。また、シート体３の下端部は重り８が床面に着床することによりシールされる。よって、エレベータカゴ側とエレベータロビー側とが本実施形態の遮炎スクリーン装置により完全に遮断され、火災等による火炎や煙がエレベータカゴ側とエレベータロビー側との間を流通することを確実に防止することが可能となる。このため、ある階で発生した火災による火炎や煙は該スクリーン装置により遮断され、エレベータシャフトが煙突の役目をして他の階に煙が拡散することを確実に防止することができる。
【００７４】
また、シール機能付きストッパ体１０を構成するボールチェーン１０ａ自体は全体的に見れば可撓性があり、ロール状に巻き取ることができるため、シート体３の幅方向端部の先端に設けられた袋状側部１０ｂの内部空間内にボールチェーン１０ａを収納してなるシール機能付きストッパ体１０を、シート体３と共に巻き取りドラム２に巻き取ることが可能となる。そして、シート体３の下降時には、ボールチェーン１０ａが自重等により直線状に伸びようとするため、シート体３の両幅方向端部の姿勢が安定し、シート体３をより円滑に下降させることが可能となる。
【００７５】
さらに、シール機能付きストッパ体１０は、シート体３の幅方向端部に設けられた袋状側部１０ｂ内にボールチェーン１０ａを収納してなるため、その構成が簡素であり、部品点数も少ないことから、その製造や組付けが簡単となる。
【００７６】
加えて、ガイドレール１を構成する座板４２及びガイドレール本体４４は板材の折り曲げ加工品よりなり、前記幅狭挿入口４及び前記幅広収納空間５等は曲げ加工により所定形状に形成されていることから、ガイドレール内に幅狭挿入口や幅広収納空間を形成するための部材を別途製造してガイドレールに固定等させる必要がなく、製造工程の簡素化を図ることができる。
【００７７】
なお、この実施形態では、被取り付け部材（室内側壁１１の出っ張り部１１ｂ）に固定手段（ビス４１）により固定されて取り付けられる第１部材を座板４２により構成するとともに、固定手段を覆うように第１部材に結合される第２部材をガイドレール本体４４（第１折り曲げ加工品４５と第２折り曲げ加工品４６との結合品）により構成する例について示したが、該第１部材を座板４２及び第２折り曲げ加工品４６よりなる結合品により構成するとともに、該第２部材を第１折り曲げ加工品４５により構成することも可能である。
【００７８】
すなわち、座板４３と第２折り曲げ加工品４６とを溶接（ボルト締めでもよい）により予め結合しておき、この結合品を室内側壁１１の出っ張り部１１ｂにビス４１により取り付けた後、第２折り曲げ加工品４６の折り曲げ被挟持部４６ａに対して第１折り曲げ加工品４５の折り返し挟持部４５ａをはめ込んで結合してもよい。
【００７９】
（第２実施形態）
第１実施形態では、火災時の煙のみならず火炎が拡散するのを防止するための遮炎スクリーン装置に本発明を適用した関係上、ガイドレール１及び目板部材２１等の材質としてより耐熱性の高い鉄を採用する例について説明したが、煙の拡散を防止するための遮煙スクリーン装置に本発明を適用する場合は、ガイドレール１及び目板部材２１等の材質としてアルミニウム又はアルミニウム合金を採用することもできる。
【００８０】
すなわち、本実施形態に係るガイドレール４７は、図１３及び図１４に示されるように、上記通路開口の両側の室内側壁１１の出っ張り部１１ｂに固定手段としてのビス４１により固定されて取り付けられたガイドレール本体（第１部材）４８と、ガイドレール本体４８に対してボルト４３で固定されて一体的に結合されたカバー部材（第２部材）４９とから構成されている。
【００８１】
ガイドレール本体４８は、アルミニウム合金を押し出し成形により一体に形成した押し出し成形品よりなり、シート体３の厚さよりも大きな開口幅で上下方向に連続して延びる前記幅狭挿入口５０と、幅挟挿入口５０の開口幅よりも大きな最大幅をもち、シール機能付きストッパ体１０を収納可能でかつ該シール機能付きストッパ体１０が上下方向に非接触状態で遊動可能な断面略楕円形状の幅広収納空間５１とを有している。なお、幅狭挿入口５０は、一対の対向壁部５２、５２間に形成されている。また、幅広収納空間５１の幅狭挿入口５０側には、幅狭挿入口５０から幅広収納空間５の奥側に向かうに連れて幅広収納空間５０の幅が広くなるように、対向壁部５２、５２から連続して延びる一対の曲面壁部５３、５３が設けられている。この曲面壁部５３、５３は、シール機能付きストッパ体１０と面接触により当接しうるように、シール機能付きストッパ体１０の外面形状に対応した曲面形状とされている。
【００８２】
また、ガイドレール本体４８は、出っ張り部１１ｂの出っ張り端面に当接した状態でビス４１で固定された底部４８ａと、ガイドレール１の主な意匠面たる正面の一部を構成する第１正面部４８ｂと、ガイドレール１の内方側面を構成する内方側面部４８ｃと、底部４８ａの一端側（図１３の左端側で、ガイドレール１の外方側）からガイドレール４７の前方に突出する突出部４８ｄとを有している。そして、底部４８ａには、ビスを挿通させるための複数の挿通孔（図示せず）がガイドレール４７の上下方向（長手方向）に沿って間隔を隔てて貫設されている。また、突出部４８ｄには、ボルト４３を貫通させるための複数の貫通孔がガイドレール４７の上下方向に沿って間隔を隔てて貫設されている。さらに、第１正面部４８ｂの一端側（図１３の左端側で、ガイドレール１の外方側）の端部にはカバー部材４９の後述する凸状係合部４９ｃと凹凸係合する凹状係合部４８ｅが設けられている。なお、ガイドレール本体４８の第１正面部４８ｂと、カバー部材４９の後述する第２正面部４９ａとが一体的となって、ガイドレール４７の主な意匠面たる正面を構成する。
【００８３】
カバー部材４９は、アルミニウム合金を押し出し成形により一体に形成した押し出し成形品よりなり、ガイドレール４７の主な意匠面たる正面の一部を構成する第２正面部４９ａと、ガイドレール１の主な意匠面たる外方側面を構成する外方側面部４９ｂとを有している。そして、外方側面部４９ｂには、ボルト４３を貫通させるための複数の貫通孔がガイドレール４７の上下方向に沿って間隔を隔てて貫設されている。また、第２正面部４９ａの他端側（図１３の右端側で、ガイドレール１の内方側）の端部にはガイドレール本体４８の凹状係合部４８ｅと凹凸係合する凸状係合部４９ｃが設けられている。
【００８４】
本実施形態のガイドレール４７は、以下のようにしてエレベータ扉前の通路開口の両側部の出っ張り部１１ｂに設置することができる。まず、出っ張り部１１ｂにガイドレール本体４８をビス４１で固定する。そして、このガイドレール本体４８に対して、凹状係合部４８ｅと凸状係合部４９ｃとを凹凸係合させつつ、カバー部材４９をボルト４３で結合する。
【００８５】
この結合状態では、ガイドレール本体４８の底部４８ａ及び底部４８ａを室内側壁１１の出っ張り部１１ｂに固定するためのビス４１等が、カバー部材４９により完全に覆われて外部から全く見えないようになっている。このため、このガイドレール４７は意匠性に優れている。
【００８６】
また、ガイドレール４７を構成するガイドレール本体４８及びカバー部材４９はアルミニウム合金の押し出し成形品よりなり、幅狭挿入口５０及び幅広収納空間５１等が押し出し成形により所定形状に形成されていることから、ガイドレール内に幅狭挿入口や幅広収納空間を形成するための部材を別途製造してガイドレールに固定等させる必要がなく、製造工程の簡素化を図ることができる。
【００８７】
また、目板部材は、図１５及び図１６に示されるように、アルミニウム合金を押し出し成形により一体に形成した押し出し成形品よりなる。
【００８８】
なお、上述の目板部材２１と同様、この目板部材３５は取り付け部３６、受け止め部３７及びカバー部３８を有しており、また、受け止め部３７は先端が鋭角な角部とされた上下一対の凸状部３９、３９及び凹状部４０を有している。
【００８９】
その他の構成及び作用効果は、第１実施形態と同様である。
【００９０】
（その他の実施形態）
なお、上述の実施形態では、１個の押し付けローラ２２を目板部材２１の受け止め部２４に対向配設した例について説明したが、上部押し付けシール機構２０の態様としてはこれに限られない。例えば、目板部材２１の受け止め部２４に対して、エレベータロビー側の前方で斜め上方の位置に第１押し付けローラを配設するとともに、エレベータロビー側の前方で斜め下方の位置に第２押し付けローラを配設し、第１及び第２押し付けローラの双方でシート体３を受け止め部２４に押し付ける態様としてもよい。
【００９１】
また、上述の実施形態では、建築構造物内の開口部としてエレベータ扉前の通路開口に遮炎・遮煙スクリーン装置を設置する例について説明したが、本発明のスクリーン装置は人が通過する通路開口以外の開口部、例えばマンション管理人室のカウンター窓の開口に設置することも勿論可能である。
【００９２】
【発明の効果】
以上詳述したように本発明のスクリーン装置は、シート体が両ガイドレール間を閉鎖しているときに、ガイドレールの幅広収納空間内で上下方向に連続して延びて存在するシール機能付きシート体とガイドレールとの当接により、シート体の幅方向端部において、ガイドレール内で上下方向に連続してシール性を確実に確保することができる。したがって、両ガイドレール間を下降して閉鎖した状態にあるシート体の両側部を上下方向に連続して確実にシールして気密性を高めることができ、煙、風や塵埃等を確実に遮断することが可能となる。
【００９３】
また、シール機能付きストッパ体は、シート体の幅方向端部に設けられた袋状側部内にボールチェーンを収納してなるため、その構成が簡素であり、部品点数も少ないことから、その製造や組付けが簡単となる。
【図面の簡単な説明】
【図１】第１実施形態の遮炎スクリーン装置の全体構成を示し、シート体が両ガイドレール間を開放した状態にある遮炎スクリーン装置を縦に切断した断面の一部断面端面図である。
【図２】第１実施形態の遮炎スクリーン装置に係り、図１のＡ−Ａ線から上方を見た底面図である。
【図３】第１実施形態の遮炎スクリーン装置に係り、図６のＢ−Ｂ線から下方を見た平面図である。
【図４】第１実施形態の遮炎スクリーン装置に係り、図１のＣ−Ｃ線から下方を見た平面図である。
【図５】第１実施形態の遮炎スクリーン装置に係り、図１のＤ−Ｄ線から下方を見た平面図である。
【図６】第１実施形態の遮炎スクリーン装置に係り、目板部材の側面図である。
【図７】第１実施形態の遮炎スクリーン装置に係り、目板部材の斜視図である。
【図８】第１実施形態の遮炎スクリーン装置に係り、シート体が両ガイドレール間を閉鎖した状態にある遮炎スクリーン装置を縦に切断した断面の一部断面端面図である。
【図９】第１実施形態の遮炎スクリーン装置に係り、シート体が両ガイドレール間を閉鎖した状態にある遮炎スクリーン装置の正面図である。
【図１０】第１実施形態の遮炎スクリーン装置に係り、シート体が両ガイドレール間を閉鎖した状態にある遮炎スクリーン装置の要部断面図である。
【図１１】第１実施形態の遮炎スクリーン装置に係り、ガイドレールと被取り付け部材との取り付け構造等を示す要部断面図である。
【図１２】第１実施形態の遮炎スクリーン装置に係り、ガイドレールの斜視図である。
【図１３】第２実施形態の遮煙スクリーン装置に係り、ガイドレールと被取り付け部材との取り付け構造等を示す要部断面図である。
【図１４】第２実施形態の遮煙スクリーン装置に係り、ガイドレールを構成するガイドレール本体の斜視図である。
【図１５】第２実施形態の遮煙スクリーン装置に係り、目板部材の側面図である。
【図１６】第２実施形態の遮煙スクリーン装置に係り、目板部材の斜視図である。
【符号の説明】
１…ガイドレール                ２…巻き取りドラム
３…シート体                    ４…幅狭挿入口
５…幅広収納空間              １０…シール機能付きストッパ体
１０ａ…ボールチェーン          １０ｂ…袋状側部
１１ｂ…出っ張り部（被取り付け部材）
４１…ビス（固定手段）          ４２…座板（第１部材）
４４…ガイドレール本体（第２部材）
４７…ガイドレール              ４８…ガイドレール本体（第１部材）
４９…カバー部材（第２部材）    ５０…幅狭挿入口
５１…幅広収納空間
【図１】
2004251021.tif 000003
【図２】
2004251021.tif 000004
【図３】
2004251021.tif 000005
【図４】
2004251021.tif 000006
【図５】
2004251021.tif 000007
【図６】
2004251021.tif 000008
【図７】
2004251021.tif 000009
【図８】
2004251021.tif 000010
【図９】
2004251021.tif 000011
【図１０】
2004251021.tif 000012
【図１１】
2004251021.tif 000013
【図１２】
2004251021.tif 000014
【図１３】
2004251021.tif 000015
【図１４】
2004251021.tif 000016
【図１５】
2004251021.tif 000017
【図１６】
2004251021.tif 000018